【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
携帯端末と、前記携帯端末と通信を行う情報処理装置とを備える情報処理システムであって、
医療、介護、更正のうちの少なくとも１つを行う施設の業務に関する複数の物品のそれぞれには、個々を識別する物品識別情報を表す識別画像が貼付されており、
前記携帯端末は、表示部と、撮像部とを備え、
前記携帯端末は、受け付けた操作に応じて、前記複数の物品のうちの少なくとも１つが提供される対象となる人の顔を前記撮像部により撮像し、撮像した画像を第１撮像画像として前記情報処理装置に出力し、受け付けた操作に応じて、内容又は種類が互いに異なる前記複数の物品のうちの１つを対象物品として前記撮像部により撮像し、撮像した画像を第２撮像画像として前記情報処理装置に出力し、
前記情報処理装置は、前記施設を利用する１以上の利用者のそれぞれ毎に、利用者の顔を示す顔情報と、利用者を示す利用者識別情報とが対応付けられた第１対応情報と、前記１以上の利用者のそれぞれ毎に、利用者を示す前記利用者識別情報と、利用者に対応付けられた前記物品を示す前記物品識別情報とが対応付けられた第２対応情報とが記憶された第１記憶部を備え、
前記情報処理装置は、前記携帯端末から取得した前記第１撮像画像に基づく顔認証によって前記人と一致する前記利用者に対応付けられた前記利用者識別情報と、前記携帯端末から取得した前記第２撮像画像に撮像されている前記識別画像が表す前記物品識別情報に対応付けられた前記利用者識別情報とが一致しているか否かを判定し、判定した結果に応じて、前記対象物品が前記人に対応付けられているか否かを示す情報を前記携帯端末に出力し、
前記携帯端末は、前記情報処理装置から取得した前記情報を前記表示部に表示させる、
情報処理システム。
【請求項２】
前記情報処理装置は、
前記第１撮像画像に基づく顔認証によって前記人と一致する前記利用者に対応付けられた前記利用者識別情報を前記第１対応情報の中から特定する第１特定部と、
前記第２撮像画像に基づいて、前記第２撮像画像に撮像されている前記識別画像が表す前記物品識別情報に対応付けられた前記利用者識別情報を前記第２対応情報の中から特定する第２特定部と、
前記第１特定部により特定された前記利用者識別情報と、前記第２特定部により特定された前記利用者識別情報とが一致しているか否かを判定し、判定した結果に応じて、前記第２撮像画像に撮像されている前記物品が前記第１撮像画像に撮像されている前記人に対応付けられているか否かを示す情報を前記携帯端末に出力する出力部と、
を備える、
請求項１に記載の情報処理システム。
【請求項３】
前記施設は、病院であり、
前記物品は、医薬品又は医薬品の入った容れ物であり、
前記利用者は、患者であり、
前記識別画像は、一次元コード又は二次元コードである、
請求項２に記載の情報処理システム。
【請求項４】
前記情報処理装置は、
前記第１特定部により特定された前記利用者識別情報と、前記第２特定部により特定された前記利用者識別情報とが一致しているか否かを判定する判定部を備え、
前記出力部は、前記第１特定部により特定された前記利用者識別情報と、前記第２特定部により特定された前記利用者識別情報とが一致していると前記判定部が判定した場合、前記第２撮像画像に撮像されている前記物品が前記人に対応付けられていることを示す情報を前記携帯端末に出力し、前記第１特定部により特定された前記利用者識別情報と、前記第２特定部により特定された前記利用者識別情報とが一致していないと前記判定部が判定した場合、前記第２撮像画像に撮像されている前記物品が前記人に対応付けられていないことを示す情報を前記携帯端末に出力する、
請求項２又は３に記載の情報処理システム。
【請求項５】
前記情報処理装置は、
第２記憶部と、
前記判定部による判定結果を示す情報を、前記判定部による判定が行われた時間を示す時間情報と対応付けた履歴情報として前記第２記憶部に記憶させる記憶制御部と、
を備える、
請求項４に記載の情報処理システム。
【請求項６】
前記携帯端末は、前記第２撮像画像に撮像されている前記物品が前記人に対応付けられていることを示す情報を前記表示部に表示させる場合、前記第２撮像画像に撮像されている前記物品が前記人に提供されたことを示す情報が入力されるＵＩ（User  Interface）を前記表示部に表示させる、
請求項１から５のうちいずれか一項に記載の情報処理システム。
【手続補正２】
【補正対象書類名】明細書
【補正対象項目名】発明の名称
【補正方法】変更
【補正の内容】
【発明の名称】情報処理システム
【手続補正３】
【補正対象書類名】明細書
【補正対象項目名】０００１
【補正方法】変更
【補正の内容】
【０００１】
本発明は、情報処理システムに関する。
【手続補正４】
【補正対象書類名】明細書
【補正対象項目名】０００６
【補正方法】変更
【補正の内容】
【０００６】
本発明は、このような事情を考慮してなされたもので、施設の業務に関する物品が提供される対象となる人に対応付けられていない物品が当該人に対応付けられた物品として誤って特定されてしまうことを抑制することができる情報処理システムを提供することを課題とする。
【手続補正５】
【補正対象書類名】明細書
【補正対象項目名】０００７
【補正方法】変更
【補正の内容】
【０００７】
本発明の一態様は、携帯端末と、前記携帯端末と通信を行う情報処理装置とを備える情報処理システムであって、医療、介護、更正のうちの少なくとも１つを行う施設の業務に関する複数の物品のそれぞれには、個々を識別する物品識別情報を表す識別画像が貼付されており、前記携帯端末は、表示部と、撮像部とを備え、前記携帯端末は、受け付けた操作に応じて、前記複数の物品のうちの少なくとも１つが提供される対象となる人の顔を前記撮像部により撮像し、撮像した画像を第１撮像画像として前記情報処理装置に出力し、受け付けた操作に応じて、内容又は種類が互いに異なる前記複数の物品のうちの１つを対象物品として前記撮像部により撮像し、撮像した画像を第２撮像画像として前記情報処理装置に出力し、前記情報処理装置は、前記施設を利用する１以上の利用者のそれぞれ毎に、利用者の顔を示す顔情報と、利用者を示す利用者識別情報とが対応付けられた第１対応情報と、前記１以上の利用者のそれぞれ毎に、利用者を示す前記利用者識別情報と、利用者に対応付けられた前記物品を示す前記物品識別情報とが対応付けられた第２対応情報とが記憶された第１記憶部を備え、前記情報処理装置は、前記携帯端末から取得した前記第１撮像画像に基づく顔認証によって前記人と一致する前記利用者に対応付けられた前記利用者識別情報と、前記携帯端末から取得した前記第２撮像画像に撮像されている前記識別画像が表す前記物品識別情報に対応付けられた前記利用者識別情報とが一致しているか否かを判定し、判定した結果に応じて、前記対象物品が前記人に対応付けられているか否かを示す情報を前記携帯端末に出力し、前記携帯端末は、前記情報処理装置から取得した前記情報を前記表示部に表示させる、情報処理システムである。
【手続補正６】
【補正対象書類名】明細書
【補正対象項目名】０００８
【補正方法】変更
【補正の内容】
【０００８】
また、本発明の一態様は、情報処理システムにおいて、前記情報処理装置は、前記第１撮像画像に基づく顔認証によって前記人と一致する前記利用者に対応付けられた前記利用者識別情報を前記第１対応情報の中から特定する第１特定部と、前記第２撮像画像に基づいて、前記第２撮像画像に撮像されている前記識別画像が表す前記物品識別情報に対応付けられた前記利用者識別情報を前記第２対応情報の中から特定する第２特定部と、前記第１特定部により特定された前記利用者識別情報と、前記第２特定部により特定された前記利用者識別情報とが一致しているか否かを判定し、判定した結果に応じて、前記第２撮像画像に撮像されている前記物品が前記第１撮像画像に撮像されている前記人に対応付けられているか否かを示す情報を前記携帯端末に出力する出力部と、を備える、構成が用いられてもよい。
【手続補正７】
【補正対象書類名】明細書
【補正対象項目名】０００９
【補正方法】変更
【補正の内容】
【０００９】
また、本発明の一態様は、情報処理システムにおいて、前記施設は、病院であり、前記物品は、医薬品又は医薬品の入った容れ物であり、前記利用者は、患者であり、前記識別画像は、一次元コード又は二次元コードである、構成が用いられてもよい。
【手続補正８】
【補正対象書類名】明細書
【補正対象項目名】００１０
【補正方法】変更
【補正の内容】
【００１０】
また、本発明の一態様は、情報処理システムにおいて、前記情報処理装置は、前記第１特定部により特定された前記利用者識別情報と、前記第２特定部により特定された前記利用者識別情報とが一致しているか否かを判定する判定部を備え、前記出力部は、前記第１特定部により特定された前記利用者識別情報と、前記第２特定部により特定された前記利用者識別情報とが一致していると前記判定部が判定した場合、前記第２撮像画像に撮像されている前記物品が前記人に対応付けられていることを示す情報を前記携帯端末に出力し、前記第１特定部により特定された前記利用者識別情報と、前記第２特定部により特定された前記利用者識別情報とが一致していないと前記判定部が判定した場合、前記第２撮像画像に撮像されている前記物品が前記人に対応付けられていないことを示す情報を前記携帯端末に出力する、構成が用いられてもよい。
【手続補正９】
【補正対象書類名】明細書
【補正対象項目名】００１１
【補正方法】変更
【補正の内容】
【００１１】
また、本発明の一態様は、情報処理システムにおいて、前記情報処理装置は、第２記憶部と、前記判定部による判定結果を示す情報を、前記判定部による判定が行われた時間を示す時間情報と対応付けた履歴情報として前記第２記憶部に記憶させる記憶制御部と、を備える、構成が用いられてもよい。
【手続補正１０】
【補正対象書類名】明細書
【補正対象項目名】００１２
【補正方法】変更
【補正の内容】
【００１２】
また、本発明の一態様は、情報処理システムにおいて、前記携帯端末は、前記第２撮像画像に撮像されている前記物品が前記人に対応付けられていることを示す情報を前記表示部に表示させる場合、前記第２撮像画像に撮像されている前記物品が前記人に提供されたことを示す情報が入力されるＵＩ（User  Interface）を前記表示部に表示させる、構成が用いられてもよい。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】